(57)【要約】【課題】簡単な制御で安定した再生信号を得ることができる光ディスク装置を提供する。【解決手段】厚み方向に複数の記録層を有する光ディスクは、前記複数の記録層の同一半径位置にｎＴ（ｎは２以上の整数、Ｔはビット周期）マークとｎＴスペースを繰り返したデータ繰り返し信号を記録するための記録領域を有し、各記録層の前記記録領域には、互いに異なるデータ繰り返し信号が記録される。ディスクローディング時に各記録層に対する前記レーザビームの最適焦点位置調整動作および最適記録パワー値設定動作を行った後に前記データ繰り返し信号を前記記録領域に記録して、他の記録層からの前記データ繰り返し信号の漏れこみ量を測定する。【選択図】  図１
2010267318.tif 000002
【特許請求の範囲】
【請求項１】
厚み方向に複数の記録層を有する光ディスクと、前記複数の記録層に情報信号を記録または再生するためのレーザビームを発光させるピックアップとを備えた光ディスク装置において、
前記複数の記録層の同一半径位置にｎＴ（ｎは２以上の整数、Ｔはビット周期）マークとｎＴスペースを繰り返したデータ繰り返し信号を記録するための記録領域を有し、ディスクローディング時に各記録層に対する前記レーザビームの最適焦点位置調整動作および最適記録パワー値設定動作を行った後に前記データ繰り返し信号を前記記録領域に記録して、他の記録層からの前記データ繰り返し信号の漏れこみ量を測定する光ディスク装置。
【請求項２】
請求項１記載の光ディスク装置において、ディスクローディング時に前記複数の記録層のうち、いずれか一層の記録層に対する前記レーザビームの最適焦点位置調整動作および最適記録パワー値設定動作を行った直後にｎＴ（ｎは２以上の整数、Ｔはビット周期）マークとｎＴスペースを繰り返したデータ繰り返し信号を前記記録領域に記録し、次に他のいずれか一層の記録層に対する前記レーザビームの最適焦点位置調整動作および最適記録パワー値設定動作を行った後に、前記ｎの値を変更したｎＴマークとｎＴスペースを繰り返したデータ繰り返し信号を前記記録領域に記録し、以下同様の手順で残りの各層毎にそれぞれｎが異なったｎＴマークとｎＴスペースを繰り返したデータ繰り返し信号を前記記録領域に記録して、他の記録層からの前記データ繰り返し信号の漏れこみ量を測定する光ディスク装置。
【請求項３】
請求項１記載の光ディスク装置において、ディスクローディング時にすべての記録層に対する前記レーザビームの最適焦点位置調整動作および最適記録パワー値設定動作の終了後に、それぞれｎが異なったｎＴマークとｎＴスペースを繰り返したデータ繰り返し信号を各層毎に前記最適記録パワー値で順次前記記録領域に記録して、他の記録層からの前記データ繰り返し信号の漏れこみ量を測定する光ディスク装置。
【請求項４】
請求項３記載の光ディスク装置において、すべての記録層に対する前記レーザビームの最適焦点位置調整情報および最適記録パワー値をメモリに記憶し、前記光ディスクを再ローディングした時に前記メモリに記憶された前記最適焦点位置調整情報および前記最適記録パワー値を読み出して各層毎に設定するとともに、それぞれｎが異なったｎＴマークとｎＴスペースを繰り返したデータ繰り返し信号を順次前記記録領域に記録して、他の記録層からの前記データ繰り返し信号の漏れこみ量を測定する光ディスク装置。
【請求項５】
厚み方向に複数の記録層を有する光ディスクを再生する光ディスク装置であり、前記光ディスクは、前記複数の記録層の同一半径位置に構成される記録領域を有し、前記記録領域には、ｎＴ（ｎは２以上の整数、Ｔはビット周期）マークとｎＴスペースを繰り返したデータ繰り返し信号が、各記録層の前記データ繰り返し信号が互いに異なるように記録されており、前記光ディスクを再生する場合、再生された情報信号の周波数分析を行う再生信号周波数分析手段を備え、前記いずれか一層の記録層に対するレーザビームの最適焦点位置調整動作を終了した後に当該層の前記記録領域を再生して、前記再生信号周波数分析手段によって当該層の再生信号レベルおよび他の記録層から漏れ込む前記データ繰り返し信号レベルを検出し、次に他のいずれかの記録層に対する前記レーザビームの最適焦点位置調整動作を終了した後に当該層の前記記録領域を再生し、前記再生信号周波数分析手段によって当該層の再生信号レベルおよび他の記録層から漏れ込む前記データ繰り返し信号レベルを検出するように、以下順次同様の手順にてすべての記録層における当該層の再生信号レベルおよび他の記録層から漏れ込む前記データ繰り返し信号レベルを検出する光ディスク装置。
【請求項６】
厚み方向に複数の記録層を有する光ディスクを再生する光ディスク装置であり、前記光ディスクは、前記複数の記録層の同一半径位置に構成される記録領域を有し、前記記録領域には、ｎＴ（ｎは２以上の整数、Ｔはビット周期）マークとｎＴスペースを繰り返したデータ繰り返し信号が、各記録層の前記データ繰り返し信号が互いに異なるように記録されており、前記光ディスクを再生する場合、再生された情報信号を装置外部に出力するための信号出力端子を設け、前記いずれか一層の記録層に対するレーザビームの最適焦点位置調整動作を終了した後に当該層の前記記録領域を再生し、前記信号出力端子に接続された外部の周波数分析装置によって当該層の再生信号レベルおよび他の記録層から漏れ込む前記データ繰り返し信号レベルを検出し、次に他のいずれかの記録層に対する前記レーザビームの最適焦点位置調整動作を終了した後に当該層の前記記録領域を再生し、前記信号出力端子に接続された外部の周波数分析装置によって当該層の再生信号レベルおよび他の記録層から漏れ込む前記データ繰り返し信号レベルを検出するように、以下順次同様の手順にてすべての記録層における当該層の再生信号レベルおよび他の記録層から漏れ込む前記データ繰り返し信号レベルを検出する光ディスク装置。
【請求項７】
請求項４記載の光ディスク装置において、前記再生信号周波数分析手段を中心周波数可変（中心周波数＝１／（２ｎＴ）、ｎを変更）のバンドパスフィルタ回路で構成し、各記録層再生時に前記ｎの値を順次変更して、当該層の再生信号レベル、他の記録層のデータ繰り返し信号レベルを切り換えて測定する光ディスク装置。
【発明の詳細な説明】
【技術分野】
【０００１】
本発明は光ディスク記録装置および光ディスク再生装置に関し、特に多層光ディスクの層間クロストーク量を容易に測定することを可能とする光ディスク装置に関する。  
【背景技術】
【０００２】
本発明に関連する層間クロストーク検出技術として、たとえば特許文献１（特開平９−５４９５７号公報）がある。特許文献１には、このクロストークの定量化という課題に対する一解決方法である多層記録媒体のクロストーク測定方法が記載されている。
【先行技術文献】
【特許文献】
【０００３】
【特許文献１】特開平９−５４９５７  号公報  第５頁  図２
【発明の概要】
【発明が解決しようとする課題】
【０００４】
ＤＶＤに代表される光ディスクの市場においては、記録情報の大容量化に適応するため高密度化が進んでおり、最近では光源として青色レーザを使用するＢｌｕ−ｒａｙが製品化され、片面２５ＧＢの記録容量を実現した。また、青色レーザの高出力化によって複数層媒体の記録も可能となり、たとえばＢｌｕ−ｒａｙ２層ディスクでは片面で５０ＧＢの情報データを記録できる。この大記録容量化への開発は今後も多層化技術開発を中心として推進されると予測されている。多層化において課題となるのは当該層を再生した場合の他層からの信号漏れこみ(以下クロストークと記す)よる再生信号品質の悪化である。
【０００５】
特に層間隔の狭い多層光ディスクにおいては、当該記録層に対して隣接および隣隣接の記録層からのクロストークが増加することが予測される。
【０００６】
本発明の目的は、簡単な制御で正確な層間クロストーク量を検出することができる光ディスク装置を提供することにある。
【課題を解決するための手段】
【０００７】
上記目的は、一例として、特許請求の範囲に記載の発明により達成される。本願において開示される発明のうち代表的なものの概要を簡単に説明すれば次のとおりである。
【０００８】
すなわち、上記目的を達成するために、厚み方向に複数の記録層を有する光ディスクと、前記複数の記録層に情報信号を記録または再生するためのレーザビームを発光させるピックアップとを備えた光ディスク装置であって、前記複数の記録層の同一半径位置にｎＴ（ｎは２以上の整数、Ｔはビット周期）マークとｎＴスペースを繰り返したデータ繰り返し信号を記録するための記録領域を有し、ディスクローディング時に各記録層に対する前記レーザビームの最適焦点位置調整動作および最適記録パワー値設定動作を行った後に前記データ繰り返し信号を前記記録領域に記録し、次に同様の手順にて各記録層の前記記録領域にｎの値が互いに異なるデータ繰り返し信号を記録する。
【発明の効果】
【０００９】
本発明によれば、簡単な制御で正確な層間クロストーク量を検出することができる。
【図面の簡単な説明】
【００１０】
【図１】本発明による多層光ディスク記録再生装置のブロック図、
【図２】多層光ディスクにおけるクロストーク発生の模式図、
【図３】本発明による多層光ディスクの信号配置の一例を示す図、
【図４】本発明によるクロストーク検出信号のトラック配置の一例を示す図、
【図５】本発明によるクロストーク検出信号記録手順の一例を示すフローチャート、
【図６】本発明によるクロストーク検出信号記録手順の他の一例を示すフローチャート、
【図７】本発明による各記録層の再生スペクトルの一例を示す図、
【図８】本発明による多層光ディスク記録再生装置の他の一例を示すブロック図、
【図９】本発明による多層光ディスク記録再生装置の他の一例を示すブロック図、
【図１０】本発明による多層光ディスク記録再生装置の他の一例を示すブロック図、である。
【発明を実施するための形態】
【００１１】
以下、本発明の実施形態を図を用いて説明する。  
図１は本発明による多層光ディスク記録再生装置の一実施形態を示すブロック図であり、１はディスク、２はモータ、３はサーボ駆動回路、４はピックアップ、５はレーザ駆動回路、６は光検出回路、７はサーボ回路、８はバッファメモリ、９は再生系信号処理回路、１０は記録系信号処理回路、１１０はＬ０記録層、１１１はＬ１記録層、１１２はＬ２記録層、１１３はＬ３記録層、１２はレーザビーム、１３は信号処理回路、１４は光ディスク記録再生装置、１５はドライブ制御装置、１６はスペクトラム解析回路、１７は係数メモリである。
【００１２】
図１の実施形態では、ディスク１として４層ディスクを使用し、各層の内周部同一半径位置にはｎ（ｎは２以上の整数）が異なったｎＴ(Ｔはビット周期)の“１”、“０”繰り返し信号からなるクロストーク検出信号が記録されている。“１”は、たとえば、マーク、“０”は、たとえば、スペースであり、このクロストーク検出信号は周波数ｆ＝１／（２ｎＴ）で表わされる固定周波数信号となる。図１に示した実施形態では、Ｌ０記録層１１０には５Ｔ−５Ｔ繰り返し信号が、以下Ｌ１記録層１１１には６Ｔ−６Ｔ、Ｌ２記録層１１２には７Ｔ−７Ｔ、Ｌ３記録層１１３には８Ｔ−８Ｔ繰り返し信号がそれぞれ記録されている。これらのｎＴの値は使用されている１−７変調信号のうちの“１”連続、“０”連続の長い信号に相当する。
【００１３】
まず、光ディスク記録再生装置１４の基本的な動作について説明する。たとえばＢｌｕ−Ｒａｙ方式の１回書きディスクであるＢＤ−Ｒディスク１が光ディスク記録再生装置１４に挿入されるとモータ２、サーボ回路７、サーボ駆動回路３によってディスク１を回転させ、ピックアップ４からは再生用のパワー値に制御されたレーザビーム１２をディスク１の記録面に照射する。光検出回路６はディスク１から反射してきたレーザビーム１２の反射光の強弱を検出し、これより再生ディジタル信号列を得る。
【００１４】
次にバッファメモリ８、再生系信号処理回路９でこの再生ディジタル信号列を復号し、ディスク１上に記録されたコントロール信号などの情報を読み取り、ディスク媒体判別を行う。ここで挿入されたディスク１がＢＤ−Ｒと判別されると光ディスク記録再生装置１４は動作待ち状態(セットアップ終了)となり、その後は、たとえばホストコンピュータで構成されるドライブ制御装置１５の指令に基づきデータの記録または再生状態に制御される。
【００１５】
データ記録時には、サーボ回路７は光検出回路６の出力信号であるサーボ用信号Ｃ１からサーボ駆動用信号Ｓ１を生成し、サーボ駆動回路３はＳ１信号を基にディスク１を所定のスピードで回転させるとともにレーザビーム１２のフォーカス、トラッキング制御を行う。次に信号処理回路１４中の記録系信号処理回路１０から出力されるディジタルデータ列Ｗ１がレーザ駆動回路５に送出され、レーザ駆動回路５は記録データ信号の記録パワー値を所定の値に設定して情報データを順次ディスク１のトラック上に記録していく。
【００１６】
再生時も同様にサーボ駆動回路３はディスク１を所定のスピードで回転させるとともに、レーザビーム１２のフォーカスおよびトラッキング制御を行い、レーザビーム１２の照射により記録されている再生ディジタルデータ列Ｒ１を順次再生していく。
【００１７】
ここで図１に示したような多層光ディスク１における層間クロストークについて説明する。
【００１８】
図２は多層光ディスクにおけるクロストーク発生の模式図である。図２において、（a）はレーザビーム１２がＬ０記録層１１０に焦点を結ぶ様子を示したものであるが、層間隔Ｄ0-1が狭くなってくるとＬ１記録層１１１上にも焦点が合い始め、Ｌ１記録層１１１の記録信号も再生してしまう可能性が出てくる。また、層間隔Ｄ1-2値によってはレーザビーム１２の一部の信号がＬ１記録層１１１の反射面で反射し、その戻り光がＬ２記録層１１２に焦点を結び(以下、これを共焦点と記す)、Ｌ２記録層１１２の記録信号を再生する場合がある。これらの他層からの不要なクロストーク信号はＬ０記録層１１０の再生信号に対してノイズとなり系のエラーレートを悪化させる原因となる。
【００１９】
同様に図２（b）はレーザビーム１２がＬ１記録層１１１に焦点を結ぶ様子を示したものであるが、層間隔Ｄ0-1、Ｄ1-2が狭くなってくるとＬ０記録層１１０、Ｌ２記録層１１２からのクロストークが増し、層間隔Ｄ2-3の値によってはＬ３記録層１１３上の共焦点によるクロストーク発生の可能性がある。
【００２０】
これに対し（c）に示したＬ２記録層１１２再生時、（d）に示したＬ３記録層１１３再生時には、それぞれ隣接層からのクロストークが発生する可能性があるが、共焦点によるクロストークは発生しないという特徴がある。
【００２１】
このように共焦点を含む層間のクロストークは層間隔と密接な関係があるため、ディスク１はなるべくクロストークを発生させないような層間隔Ｄ0-1、Ｄ1-2、Ｄ2-3が選ばれる。しかし、実際には数μｍ単位の膜面制御は非常に難しく、また面振れなどの影響もあり、このクロストークを完全になくすことはできないと予測される。
【００２２】
次に本発明による他層からのクロストーク量検出方法について説明する。
【００２３】
図３に本発明による多層光ディスクの信号配置の一例を示す。
【００２４】
前述したクロストーク検出信号は図３に示すようにディスク１のリードインエリアの外周側、または外周リードアウト部の内周側、またはその両方の記録領域に記録される。また、この記録領域はそれぞれの記録層の同一半径位置に設けられ、記録層毎に記録信号周波数が異なっている。ここで新たにクロストーク検出信号記録エリアを含んだ形でリードインエリアおよびリードアウトを定義しても良い。
【００２５】
図４に本発明によるクロストーク検出信号記録トラック配置の一例を示す。図４において２３１はクロストーク検出信号記録トラック１、２３２はクロストーク検出信号記録トラック２、２３３はクロストーク検出信号記録トラック３であり、クロストーク検出信号記録エリアは連続した３トラックで構成されている。なお、ここでの１トラックとはディスク１周分の記録領域を示している。
【００２６】
各記録層のクロストーク信号レベルの検出は１トラックあれば十分に可能であるが、本実施形態においては３トラックのうち真ん中のクロストーク検出信号記録トラック２３２を使用してクロストーク量を検出する方式としている。これは記録層間にトラックずれがあった場合に両端のクロストーク検出信号記録トラック２３１，２３３を再生すると、再生時のレーザビーム１２の位置によっては無記録部をトラッキングすることになって、正確なクロストーク量が検出できなくなるのを防ぐためである。これに対して両隣接トラックが記録されているクロストーク検出信号記録トラック２３２を再生すれば、記録層間にトラックずれがあっても無記録部を再生することなく正確なクロストーク量が測定できるという効果がある。
【００２７】
以上、連続した３トラックの実施形態について説明したが、これは３トラックに限定されるものではなく、１トラックや２トラックでも良いし、連続３トラック以上設けても良い。ただし、トラック数を増すとデータゾーン領域が減少するため、３トラック程度が望ましい。
【００２８】
次に本発明によるクロストーク検出信号の記録手順について説明する。
【００２９】
図５は本実施形態におけるクロストーク検出信号の記録手順の一例を示すフローチャートである。
【００３０】
図５において、Ｍは層数を示し、たとえばＭ＝０はＬ０記録層１１０に、Ｍ＝３はＬ３記録層１１３に対応している。
【００３１】
ここでは図５に示した記録手順を、図１に示した本発明の一実施形態に適用して説明する。
【００３２】
通常、多層ディスクにデータ情報を記録する場合、記録中に記録層を変更することが多いと予測されるので各記録層に対する焦点調整および最適記録レーザパワー調整はディスクローディング時に行っておくのが望ましい。
【００３３】
図１においてディスク１が光ディスク記録再生装置１４にローディングされると、ディスク種類判別およびディスク管理情報読み出し動作が行われる。次に複数記録層の中のいずれか１層、たとえばＬ０記録層１１０にレーザビーム１２の焦点を合わせ、当該層に対する最適記録レーザパワーを求める。この時、これらの焦点調整情報、最適記録レーザパワー情報は信号処理回路１３中に設けたメモリに記憶される。ここでディスク管理情報中のクロストーク検出信号記録済みフラグを参照しクロストーク検出信号が未記録を示している場合、あるいはクロストーク検出信号が記録される所定領域を再生して、クロストーク検出信号が記録されていないことが検出された場合には、求めた最適記録レーザパワーで記録系信号処理回路１０から出力されるディジタルデータ列Ｗ１で示される５Ｔ−５Ｔ繰り返しのクロストーク検出信号を所定領域に記録する。次に複数記録層中の他のいずれか１層、たとえばＬ１記録層１１１にレーザビーム１２の焦点を合わせ、当該層に対する最適記録レーザパワーを求め、この最適記録レーザパワーでＬ１記録層１１１に対する６Ｔ−６Ｔ繰り返し信号からなるクロストーク検出信号を上述したＬ０記録層１１０と同一半径位置の所定領域に記録する。以下、Ｌ２記録層１１２に７Ｔ−７Ｔ繰り返し信号からなるクロストーク検出信号を、Ｌ３記録層１１３に対して８Ｔ−８Ｔ繰り返し信号からなるクロストーク検出信号を同様の手順で同一半径位置の所定領域に記録し、記録動作を終了する。最後にクロストーク検出信号記録済みフラグをディスク管理情報領域に記録する。ここでクロストーク検出信号の記録有無判定を行うためにクロストーク検出信号記録済みフラグは必ずしも必要ではないが、設けることによってディスク管理を行いやすくできるという効果がある。
【００３４】
また上記クロストーク検出信号記録の部分でディスク管理情報中のクロストーク検出信号記録済みフラグがすでに記録済みを示している場合や、クロストーク検出信号を記録しない場合には記録動作を実行しないように制御する。
【００３５】
図６は本実施形態におけるクロストーク検出信号記録手順の他の一例を示すフローチャートである。
【００３６】
図６に示したフローチャートの前半部は各記録層に対する焦点調整および最適記録レーザパワー調整部の動作であり、ディスク１が光ディスク記録再生装置１４にローディングされると、複数の記録層に対して、当該層の焦点調整、最適記録レーザパワーを求め、これら全記録層の焦点調整情報、最適記録レーザパワー情報を信号処理回路１３中に設けたメモリに記憶する。
【００３７】
次にクロストーク検出信号の記録命令が発生した時点で、メモリに記憶されている全記録層の焦点調整情報、最適記録レーザパワー情報を使用して各記録層の所定領域にクロストーク検出信号を順次記録していくように動作する。
【００３８】
図６に示した記録手順によれば、クロストーク検出信号を随時に記録でき、また一旦アンローディングされたディスク１に対しても焦点および最適記録レーザパワー値をメモリから呼び出して設定すれば即時に記録できるという効果がある。
【００３９】
以上の説明はクロストーク検出信号として、５Ｔ−５Ｔから８Ｔ−８Ｔまでの４種類の信号を使用したが、本発明ではそれにとらわれず、たとえば９Ｔ−９Ｔから１２Ｔ−１２Ｔのさらに低周波数の信号としても良い。また上記の実施形態ではＬ０記録層から順にｎの値を増しているが、これに限定されず基本的に各層で記録周波数が異なっていれば良い。
【００４０】
また、クロストーク検出信号は図３に示したようにディスク１のリードインエリアの外周側、または外周リードアウト部の内周側に記録すると説明したが、互換性を考慮せず、光ディスク記録再生装置１４の評価を行うためであれば、それにとらわれずデータ領域に記録しても良い。これは一旦クロストーク検出信号を記録再生して係数メモリ１７に各層間のクロストーク量を記憶すればクロストーク検出信号は不要になるためであり、たとえばディスクがＢＤ−Ｒ(追記型ディスク)ならばディフェクト処理により、その領域を欠陥登録する、ＢＤ−ＲＥのようなリライタブルディスクでは消去、あるいはデータ記録時のオーバーライトによって消去すればよい。
【００４１】
以上クロストーク検出信号の記録手順について説明したが、次にクロストーク検出信号の再生方法およびその評価方法について説明する。
【００４２】
図７にそれぞれの記録層を再生したときの再生信号スペクトルを示す。この信号は図１中に示したＲ１である。図７(a)にＬ０記録層１１０のクロストーク検出信号を再生したときの信号スペクトルの一例を示す。Ｌ０記録層１１０には５Ｔ−５Ｔ繰り返し信号が記録されており、フォーカス、トラッキングサーボはＬ０記録層に合うように制御されているのでその再生信号レベルは大きく、たとえば図７（a）中に示した信号レベルとなる。この時、層間クロストークの存在によって再生信号レベルは小さいがＬ１記録層１１１の記録信号６Ｔ−６Ｔ、Ｌ２記録層１１２の記録信号７Ｔ−７Ｔ、Ｌ３記録層１１３の記録信号８Ｔ−８Ｔ信号スペクトルも現れることになるので、Ｌ０記録層１１０の５Ｔ−５Ｔ再生信号レベルに対する各記録層からのクロストーク量ＣＴ0-1、ＣＴ0-2、ＣＴ0-3を測定し、その結果を係数メモリ１７に記憶させる。ここで図中ＣＴ0-2が他のクロストーク量に比べて大きいが、これは図２（a）に示した共焦点によるクロストークが存在することを示している。
【００４３】
同様の手順で図７（b）から（d）に示したようにＬ１記録層１１１の記録信号６Ｔ−６Ｔ再生信号に対する各記録層からのクロストーク量ＣＴ1-0、ＣＴ1-2、ＣＴ1-3、Ｌ２記録層１１２の記録信号７Ｔ−７Ｔ再生信号に対する各記録層からのクロストーク量ＣＴ2-0、ＣＴ2-1、ＣＴ2-3、Ｌ３記録層１１３の記録信号８Ｔ−８Ｔ再生信号に対する各記録層からのクロストーク量ＣＴ3-0、ＣＴ3-1、ＣＴ3-2を測定し係数メモリ１７に記憶すれば、各記録層における層間クロストーク量を求めることができる。以上のクロストーク量測定における信号レベル検出は、図１中に示したスペクトラム解析回路１６によって行われる。
【００４４】
図８に本発明による層間クロストーク検出手段を備えた多層光ディスク記録再生装置の他の実施形態を示す。図８において２４は再生信号出力端子、２５は周波数分析装置である。
【００４５】
図８に示した実施形態では再生信号データ列Ｒ１を光ディスク記録再生装置１４から取り出すための再生信号出力端子２４を設け、外部の周波数分析装置２５（たとえばスペクトルアナライザなど）でクロストークレベルを検出する。図１に示した回路構成では再生波形を取り込んだ後、スペクトラム解析回路１６でフーリエ演算を行うため、容量の大きなメモリを用いることが好ましく、また演算に時間がかかるおそれがあることから高速の演算処理回路を用いることが好ましいが、本回路構成では光ディスク記録再生装置１４内にスペクトラム解析回路１６を設ける必要がないため、信号処理回路１３の大幅な回路低減を図れる効果がある。
【００４６】
ここで各記録層における層間クロストーク量を測定するためには、すべての記録層の所定領域にすべてクロストーク検出信号が記録済みでなければならない。したがって図５、図６に示した記録手順で記録した以降であればいつでも測定が可能であるが、実際には一連のセットアップ動作終了後に各記録層の当該記録領域を再生するようにすれば良い。
【００４７】
図９に本発明による層間クロストーク検出手段を備えた多層光ディスク記録再生装置の他の実施形態を示す。図１と同一部品は同一番号で示し、１８はバンドパスフィルタ回路、１９は信号レベル検出回路である。本発明においては、クロストーク検出信号はビット周期Ｔの整数倍ｎのマーク、スペース繰り返しデータで構成されているので、再生系信号処理回路９の出力制御信号Fsによってバンドパスフィルタ回路１８の中心周波数Fｃ=１／（２ｎＴ）を順次変更し、その出力信号レベルを信号レベル検出回路１９によって測定すれば各層からの漏れ込みレベルを独立に、また短時間で検出できる。測定した結果は係数メモリ１７に記憶され、必要な時に読み出される。
【００４８】
図１０に本発明による層間クロストーク検出手段を備えた多層光ディスク記録再生装置の他の実施形態を示す。図１０に示した実施形態においては、クロストーク検出信号を７Ｔ−７Ｔ、９Ｔ−９Ｔ、１１Ｔ−１１Ｔ、１３Ｔ−１３Ｔのように２Ｔ間隔の固定周波数信号としている。この信号形態によってバンドパスフィルタ回路１８の周波数選択度を下げることができ、回路の簡単化が図れる効果がある。
【００４９】
以上、本発明の光ディスク装置を使用すれば、厚み方向に複数の記録層を有する多層光ディスクにおける各層間のクロストーク量を検出でき、数値による層間クロストーク品質の比較評価が可能となる。
【００５０】
また、本発明の詳細を記録型の記録媒体としてＢＤ−Ｒ、ＢＤ−ＲＥディスク、また、それらを記録又は再生するＢｌｕ−ｒａｙディスク装置を例として説明してきたが、ＢＤ−ＲＯＭ多層ディスクのような再生専用の多層光ディスクやそれを再生する光ディスク装置、およびＤＶＤ装置に対しても適用可能である。
【符号の説明】
【００５１】
１‥ディスク、２‥モータ、３‥サーボ駆動回路、４‥ピックアップ、
５‥レーザ駆動回路、６‥光検出回路、７‥サーボ回路、
８‥バッファメモリ、９‥再生系信号処理回路、１０‥記録系信号処理回路
１１０〜１１５‥記録層、１２‥レーザビーム、
１３‥信号処理回路、１４‥光ディスク記録再生装置、１５‥ドライブ制御装置、
１６‥スペクトラム解析回路、１７‥係数メモリ、１８‥バンドパスフィルタ回路、
１９‥信号レベル検出回路、２０‥遅延回路、２１‥アッテネータ回路、
２２‥減算回路、２３１‥クロストーク検出信号記録トラック１、
２３２‥クロストーク検出信号記録トラック２、
２３３‥クロストーク検出信号記録トラック３、
２４‥再生信号出力端子、２５‥周波数分析装置
【図１】
2010267318.tif 000003
【図２】
2010267318.tif 000004
【図３】
2010267318.tif 000005
【図４】
2010267318.tif 000006
【図５】
2010267318.tif 000007
【図６】
2010267318.tif 000008
【図７】
2010267318.tif 000009
【図８】
2010267318.tif 000010
【図９】
2010267318.tif 000011
【図１０】
2010267318.tif 000012